(57)【要約】【課題】既存の黒板に対し、人手をかけずに簡単且つ迅速に表面材の貼替えを行うことができる黒板貼替えキット及びそれを用いた黒板貼替え方法を提供することを課題とする。【解決手段】両端に鍔付きエンドキャップ２，３が嵌着された円筒軸１と、円筒軸１に巻装される磁性材製表面材４と、表面材４の上に巻装される両面着磁のマグネットシート５とから成る。好ましくは更に、円筒軸１内に収納されるＬ字形の位置決め定規６を含む。【選択図】  図２
2019188684.tif 000002
【特許請求の範囲】
【請求項１】
両端に鍔付きエンドキャップが嵌着された円筒軸と、前記円筒軸に巻装される磁性材製表面材と、前記表面材の上に巻装される両面着磁のマグネットシートとから成る黒板貼替えキット。
【請求項２】
更に、前記円筒軸内に収納されるＬ字形の位置決め定規を含む、請求項１に記載の黒板貼替えキット。
【請求項３】
前記マグネットシートは、貼替え対象の黒板の縁枠内寸より小サイズに設定されている、請求項１又は２に記載の黒板貼替えキット。
【請求項４】
前記マグネットシートは複数に分割されている、請求項１乃至３のいずれかに記載の黒板貼替えキット。
【請求項５】
下側に位置する前記エンドキャップとして、厚みの異なる数種が用意され、選択使用される、請求項１乃至４のいずれかに記載の黒板貼替えキット。  
【請求項６】
両端に鍔付きエンドキャップが嵌着された円筒軸と、前記円筒軸に巻装される磁性材製表面材と、前記表面材の上に巻装される両面着磁のマグネットシートとから成る黒板貼替えキットを用いて行う黒板貼替え方法であって、
前記マグネットシートを前記表面材から引き剥がし、貼替え面に磁着させる工程と、
前記円筒軸を黒板の貼替え位置まで持ち上げ、下側の前記エンドキャップの鍔を前記黒板の粉受け上に載せ置く工程と、
前記表面材の下側角部を貼替え面のコーナーに合わせた後、前記円筒軸を回転移動させて前記表面材をくり出しつつ、前記マグネットシート上への磁着を開始する工程と、
前記円筒軸の回転移動を進めて、前記表面材を終端まで前記マグネットシート上に磁着させる工程と、
前記表面材の周縁部を押縁で固定する工程と、
から成ることを特徴とする黒板貼替え方法。
【請求項７】
両端に鍔付きエンドキャップが嵌着された円筒軸と、前記円筒軸に巻装される磁性材製表面材と、前記表面材の上に巻装される両面着磁のマグネットシートと、前記円筒軸内に収納されるＬ字形の位置決め定規とから成る黒板貼替えキットを用いて行う黒板貼替え方法であって、
前記マグネットシートを前記表面材から引き剥がし、貼替え面に磁着させる工程と、
前記円筒軸から取り出した前記位置決め定規を、黒板の縁枠のコーナーにあてがって前記マグネットシート上に仮止めする工程と、
前記円筒軸を黒板の貼替え位置まで持ち上げ、下側の前記エンドキャップの鍔を前記黒板の粉受け上に載せ置く工程と、
前記表面材の下側角部を前記位置決め定規のコーナーに合わせた後、前記円筒軸を回転移動させて前記表面材の端部を前記マグネットシート上に磁着させる工程と、
前記表面材の端部を押えつつ、前記位置決め定規を引き抜く工程と、
前記円筒軸の回転移動を進めて前記表面材を終端まで前記マグネットシート上に磁着する工程と、
前記表面材の周縁部を押縁で固定する工程と、
から成ることを特徴とする黒板貼替え方法。
【請求項８】
更に、予めマグネットテープを、黒板の貼替え面に磁着して前記貼替え面の長さに合わせてカットし、カットした前記マグネットテープの長さを基に前記表面材と前記マグネットシートを裁断する工程を含む、請求項７に記載の黒板貼替え方法。
【発明の詳細な説明】
【技術分野】
【０００１】
本発明は、黒板貼替えキット及びそれを用いた黒板貼替え方法に関するものであり、より詳細には、既存の黒板あるいは白板（以下の説明においては単に「黒板」とするが、それは「白板」を含む概念のものである。）に対し、人手をかけずに簡単且つ迅速に黒板の表面材の貼替えを行うことができる黒板貼替えキット及びそれを用いた黒板貼替え方法に関するものである。
【背景技術】
【０００２】
黒板の貼替えは一般に、既設の黒板の周囲から縁枠及び粉受けを取り外した後、その旧い鋼板製表面材に、両面が着磁されたマグネットシートをその一面側の磁気吸引力によって磁着し、このマグネットシートの表面に、新しい鋼板製表面材をマグネットシートの他面側の磁気吸引力によって磁着し、その後黒板の周囲に縁枠及び粉受けを取り付けるという方法によって行われている（特開平１１−７８３６６号）。
【先行技術文献】
【特許文献】
【０００３】
【特許文献１】特開平１１−７８３６６号公報
【発明の概要】
【発明が解決しようとする課題】
【０００４】
黒板の貼替えは一般に、上述したような方法で行われているが、その方法の場合、予め旧い鋼板製表面材と同じサイズに裁断した新しい鋼板製表面材とマグネットシートを用意し、それらを、既設の黒板の周囲から縁枠及び粉受けを取り外した旧い鋼板製表面材上に磁着し、その後黒板の周囲に縁枠及び粉受けを取り付ける工程を経るため手間がかかる。特に、鋼板製表面材は縦１２００ｍｍ、横３６００ｍｍという大きなサイズであって、重量が嵩むため、それを持ち上げて位置決めしつつマグネットシート上へ正確に磁着する作業は容易ではなく、手間がかかり且つ熟練を要する作業となる。
【０００５】
本発明は、上記従来技術における問題を解決するためになされたもので、既存の黒板に対し、人手をかけずに簡単且つ迅速に表面材の貼替えを行うことができる黒板貼替えキット及びそれを用いた黒板貼替え方法を提供することを課題とする。
【課題を解決するための手段】
【０００６】
上記課題を解決するための請求項１に記載の発明は、両端に鍔付きエンドキャップが嵌着された円筒軸と、前記円筒軸に巻装される磁性材製表面材と、前記表面材の上に巻装される両面着磁のマグネットシートとから成る黒板貼替えキットである。
【０００７】
一実施形態においては、前記円筒軸内に収納されるＬ字形の位置決め定規を更に含む。また、前記マグネットシートは、貼替え対象の黒板の縁枠内寸より小サイズに設定され、また、前記マグネットシートは複数に分割される。下側に位置する前記エンドキャップとして、厚みの異なる数種が用意され、選択使用されることもある。
【０００８】
また、上記課題を解決するための請求項６に記載の発明は、両端に鍔付きエンドキャップが嵌着された円筒軸と、前記円筒軸に巻装される磁性材製表面材と、前記表面材の上に巻装される両面着磁のマグネットシートとから成る黒板貼替えキットを用いて行う黒板貼替え方法であって、
前記マグネットシートを前記表面材から引き剥がし、貼替え面に磁着させる工程と、
前記円筒軸を黒板の貼替え位置まで持ち上げ、下側の前記エンドキャップの鍔を前記黒板の粉受け上に載せ置く工程と、
前記表面材の下側角部を貼替え面のコーナーに合わせた後、前記円筒軸を回転移動させて前記表面材をくり出しつつ、前記マグネットシート上への磁着を開始する工程と、
前記円筒軸の回転移動を進めて、前記表面材を終端まで前記マグネットシート上に磁着させる工程と、
前記表面材の周縁部を押縁で固定する工程と、
から成ることを特徴とする黒板貼替え方法である。
【０００９】
更に、上記課題を解決するための請求項７に記載の発明は、両端に鍔付きエンドキャップが嵌着された円筒軸と、前記円筒軸に巻装される磁性材製表面材と、前記表面材の上に巻装される両面着磁のマグネットシートと、前記円筒軸内に収納されるＬ字形の位置決め定規とから成る黒板貼替えキットを用いて行う黒板貼替え方法であって、
前記マグネットシートを前記表面材から引き剥がし、貼替え面に磁着させる工程と、
前記円筒軸から取り出した前記位置決め定規を、黒板の縁枠のコーナーにあてがって前記マグネットシート上に仮止めする工程と、
前記円筒軸を黒板の貼替え位置まで持ち上げ、下側の前記エンドキャップの鍔を前記黒板の粉受け上に載せ置く工程と、
前記表面材の下側角部を前記位置決め定規のコーナーに合わせた後、前記円筒軸を回転移動させて前記表面材の端部を前記マグネットシート上に磁着させる工程と、
前記表面材の端部を押えつつ、前記位置決め定規を引き抜く工程と、
前記円筒軸の回転移動を進めて前記表面材を終端まで前記マグネットシート上に磁着する工程と、
前記表面材の周縁部を押縁で固定する工程と、
から成ることを特徴とする黒板貼替え方法である。
【００１０】
一実施形態においては、更に、予めマグネットテープを、黒板の貼替え面に磁着して前記貼替え面の長さに合わせてカットし、カットした前記マグネットテープの長さを基に前記表面材と前記マグネットシートを裁断する工程を含む。
【発明の効果】
【００１１】
本発明は上記のとおりであって、本発明に係る黒板貼替えキットは、両端に鍔付きエンドキャップが嵌着された円筒軸と、前記円筒軸に巻装される磁性材製表面材と、前記表面材の上に巻装される両面着磁のマグネットシートとから成り、各部品がコンパクトに一体にまとめられていて、段ボール箱に収納して運搬・保管することができるので、取り扱いが容易であり、この黒板貼替えキットを用いて行う本発明に係る黒板貼替え方法によれば、黒板貼替え作業を少人数（二人で可）で容易且つ迅速に行うことが可能であり、黒板貼替え作業の効率化に大いに資する効果がある。
【図面の簡単な説明】
【００１２】
【図１】本発明に係る黒板貼替えキットの構成を示す斜視図である。
【図２】本発明に係る黒板貼替えキットの構成を示す分解斜視図である。
【図３】本発明に係る黒板張替方法におけるマグネットシートの張着方法を示す斜視図である。
【図４】本発明に係る黒板張替方法における位置決め定規の定着方法を示す斜視図である。
【図５】本発明に係る黒板張替方法における表面材の張着方法（初期）を示す斜視図である。
【図６】本発明に係る黒板張替方法における表面材の張着方法（後期）を示す斜視図である。
【図７】本発明に係る黒板張替方法における仕上げ工程を示す斜視図である。
【発明を実施するための形態】
【００１３】
本発明を実施するための形態について、図面を参照しつつ説明する。本発明に係る黒板貼替えキットは、図１，２に示されるように、上下面に鍔付きエンドキャップ２，３が嵌着された円筒軸１と、円筒軸１に巻装される表面材４と、表面材４の上に巻装されるマグネットシート５とを含んで構成されるものである。表面材４は、鋼板等の磁性材製であって、その表面が新たな黒板面となる。
【００１４】
好ましくは、本キットは更に、円筒軸１内に収納されるＬ字形の位置決め定規６と、位置決め定規６に連設される、あるいは、位置決め定規６にテープ止めされる補助板７を含む。位置決め定規６は、例えば、段ボールで形成される簡易なもので、長方形の基板８の側縁にＬ字形枠９を固定して形成される。位置決め定規６は、後述するように、黒板２０の貼替え面２１に対して表面材４を容易且つ正確に位置決めするために用いるものであり、また、補助板７はその補助のために用いるものである。
【００１５】
通例、マグネットシート５は、貼替え対象の黒板２０の縁枠２２の内寸より若干小サイズに形成される。マグネットシート５は一連のものであってもよいが、作業をしやすくするために、複数に分割することが好ましい（図示した例では３分割されている。）。表面材４は、始端部が円筒軸１の周面にテープ止めされて、円筒軸１に密に巻き付けられる。表面材４の上に巻き付けられるマグネットシート５は、その磁着力によって、表面材４の上に密に巻き付く。マグネットシート５の終端部は、解れ防止のためにテープ１０で止められる。本キットは、その状態で段ボール箱１２内に収められて、運搬・保管に供される（図１参照）。
【００１６】
エンドキャップ２，３は、その鍔の分円筒軸１よりも大径であり、また、円筒軸１に表面材４とマグネットシート５とを巻き付けた後において、マグネットシート５の巻き径よりも少し大径となるように設定される（図１参照）。
【００１７】
好ましくは、下側のエンドキャップ３として、厚みの異なる数種が用意され、黒板の種類に応じて選択し、付け替え使用可能にされる。即ち、黒板には、粉受け２３のすぐ上が黒板面となっているものや、粉受けの上側に押縁が配置され、その上が黒板面となっているもの等があるので、それらすべての種類に適用可能にするために、エンドキャップ３をその厚みによって選択して付け替え、表面材４の下辺が黒板面に合致するようにする。例えば、エンドキャップ３の厚みは、粉受け２３の上に押縁がない黒板に用いる場合は２０ｍｍとされ、高さ１６ｍｍの押縁がある黒板に用いる場合は３６ｍｍとされる。
【００１８】
本発明に係る黒板貼替え方法は、上記黒板貼替えキットを用いて実施されるものであり、以下の各工程から成る。
【００１９】
準備工程（１）
黒板はある程度大きさが決まっているが、均一という訳ではなく、特に曲面黒板の場合はバラバラである。そこで、事前に長めのマグネットテープを貼替え依頼者に送付し、貼替え対象の黒板の貼替え面の長さに合わせてカットして返送してもらう。マグネットテープは全長に亘って黒板面に磁着するので、この長さ合わせ作業は容易である。そして、返送されたマグネットテープの長さに合わせて表面材４とマグネットシート５を裁断し、円筒軸１に巻装して作業現場に持ち込む。
【００２０】
準備工程（２）
作業現場においては、先ず、本キットを段ボール箱１２から取り出し、位置決め定規６及び補助板７を含む黒板貼替えキットである場合は、上側のエンドキャップ２を外して円筒軸１から位置決め定規６及び補助板７を取り出しておく。この位置決め定規６及び補助板７の取り出しは、下記マグネット磁着工程の後に行ってもよい。取り外したエンドキャップ２は、位置決め定規６及び補助板７を取り出した後、元通りに嵌着しておく。
【００２１】
マグネットシート磁着工程
この工程は、円筒軸１に巻装されているマグネットシート５を、表面材４から剥がしながら引き出し、端部を持って伸張させながら貼替え面２１に磁着させる工程である（図３参照）。通例、マグネットシート５は、黒板２０の縁枠２２の内寸より若干小サイズにされるので、マグネットシート５の周縁部は縁枠２２から少し離れる。
【００２２】
マグネットシート５が分割されているときは、最初のマグネットシート５は上記のようにして黒板１５面に磁着させ、２番目のマグネットシート５は、その端部を第１のマグネットシート５の端部に合わせて、黒板１５面に磁着させる。３番目のマグネットシート５も同様にして、第２のマグネットシート５の端部に合わせて磁着させる（図３参照）。
【００２３】
位置決め定規の定着工程
この工程は、円筒軸１から取り出した位置決め定規６及び補助板７を、張着したマグネットシート５の上から縁枠２２のコーナーに合わせて定着する工程である（図４参照）。位置決め定規６はＬ字形であるので、縁枠２２のコーナーに合わせて定着する作業は容易である。この位置決め定規６の縁枠２２に対する定着は、テープ１１による仮止めである。位置決め定規６と補助板７が別体である場合は、位置決め定規６を縁枠２２に定着した後、補助板７の端縁を位置決め定規６の基板８上の適宜位置にテープ止めして連結する。位置決め定規６及び補助板７を含まない黒板貼替えキットを用いる場合は、この工程は省略される。
【００２４】
表面材定着準備工程
この工程は、表面材４の定着に当たり、円筒軸１を持ち上げて黒板２０の貼替え位置に配置する工程である。そのために、下側のエンドキャップ３の鍔を、黒板２０の粉受け２３の端部上に載せる。その状態において表面材４の下辺が、貼替え面２１の下辺にほぼ一致する。好ましくは、この円筒軸１を粉受け２１上に載置した際に、上側のエンドキャップ２が黒板２０の縁枠２２上辺のすぐ下に収まるようなサイズ設計にする。
【００２５】
表面材定着工程
この工程は、マグネットシート５の上に表面材４を磁着させていく工程である。先ず、円筒軸１を粉受け２３の端部上に保持した状態で、表面材４を少し引き出し、その下部コーナーを位置決め定規６のコーナー９ａに合わせ、且つ、側端部を位置決め定規６の縦辺の内側面に合わせる（図４参照）。その状態において、表面材４の上部を、位置決め定規６の上側に露出しているマグネットシート５に磁着させた後、その磁着部分を押さえて表面材４を保持しつつ、円筒軸１を粉受け２３に沿って回転移動させて表面材４を更に繰り出し、マグネットシート５上に磁着させていく（図５参照）。
【００２６】
この円筒軸１の回転移動作業は、粉受け２１上に置いた円筒軸１を粉受け２１に沿って行うものであって、さしたる支持力を要しないために作業員１人で容易に行うことができる。上側のエンドキャップ２が縁枠２２の上辺のすぐ下に収まるサイズ設計とした場合は、上側のエンドキャップ２の鍔が縁枠２２の上辺に規制されるため、円筒軸１の回転移動作業はより安定した状態でスムーズに行うことが可能となる。また、円筒軸１に巻装される表面材４は、上下を鍔付きのエンドキャップ２，３に押さえられた状態にあるので、上下方向への移動が規制され、縁枠２２に平行に磁着させることが可能となる。
【００２７】
位置決め定規と補助板の引き抜き工程
この工程は、円筒軸１の回転移動作業を進め、位置決め定規６及び補助板７を通過させた後、位置決め定規６及び補助板７を引き抜く工程である（図５参照）。即ち、表面材４の磁着は、端部から位置決め定規６及び補助板７を通過する位置までは、位置決め定規６及び補助板７が介在するために部分的（上部のみ）であるので、表面材４を移動させての位置調整が可能な状態となっている。そして、補助板７を通過させて磁着位置を確定させたところで、一旦円筒軸１の回転移動を止め、テープ１１を剥がして位置決め定規６と補助板７を引き抜き、その部分の表面材４を完全にマグネットシート５に磁着させる。その後、円筒軸１の回転移動作業を再開し、表面材４を末端まで磁着させる（図６参照）。
【００２８】
位置決め定規６及び補助板７を含まない黒板貼替えキットを用いる場合は、この工程は省略される。その場合は、表面材４の角を縁枠２２の角に合わせて行うことになるが、重量の嵩む円筒軸１を保持した状態での位置合わせは、熟練を要する作業となる。
【００２９】
仕上げ工程
表面材４の全面磁着完了後、黒板２０の縁枠２２に沿って押縁１３を、ネジ等の手段で固定して表面材４の周縁部を隠すと共に固定し、作業完了となる（図７参照）。通例、この作業完了までの全工程の作業時間は約１時間であり、従来の方法に比較して格段の速さとなる。
【産業上の利用可能性】
【００３０】
本発明は上記のとおりであって、本発明に係る黒板貼替えキットは、端面に鍔付きエンドキャップ２，３を有する円筒軸１と、円筒軸１に巻装される表面材４と、表面材４の上に巻装されるマグネットシート５とから成り、各部品がコンパクトにまとめられていて段ボール箱１２に収納して運搬・保管することができるため、取り扱いが容易であり、この黒板貼替えキットを用いて行う本発明に係る黒板貼替え方法によれば、黒板貼替え作業を少人数（二人で可）で容易且つ迅速に行うことが可能であって、黒板貼替え作業の効率化に大いに資する効果のあるものであり、その産業上の利用可能性は大である。
【符号の説明】
【００３１】
１        円筒軸
２        エンドキャップ
３        エンドキャップ
４        表面材
５        マグネットシート
６        位置決め定規
７        補助板
８        基板
９        Ｌ字形枠
１０      テープ
１１      テープ
１２      段ボール箱
１３      押縁
２０      黒板
２１      貼替え面
２２      縁枠
２３      粉受け    
【図１】
2019188684.tif 000003
【図２】
2019188684.tif 000004
【図３】
2019188684.tif 000005
【図４】
2019188684.tif 000006
【図５】
2019188684.tif 000007
【図６】
2019188684.tif 000008
【図７】
2019188684.tif 000009
【手続補正書】
【提出日】平成30年5月11日(2018.5.11)
【手続補正１】
【補正対象書類名】明細書
【補正対象項目名】００１２
【補正方法】変更
【補正の内容】
【００１２】
【図１】本発明に係る黒板貼替えキットの構成を示す斜視図である。
【図２】本発明に係る黒板貼替えキットの構成を示す分解斜視図である。
【図３】本発明に係る黒板貼替え方法におけるマグネットシートの張着方法を示す斜視図である。
【図４】本発明に係る黒板貼替え方法における位置決め定規の定着方法を示す斜視図である。
【図５】本発明に係る黒板貼替え方法における表面材の張着方法（初期）を示す斜視図である。
【図６】本発明に係る黒板貼替え方法における表面材の張着方法（後期）を示す斜視図である。
【図７】本発明に係る黒板貼替え方法における仕上げ工程を示す斜視図である。